(57)【特許請求の範囲】
【請求項１】
キャリヤテープであって、
該キャリヤテープの上面を画定するストリップ状部分と、キャリヤテープ及び上面を貫通する開口部に沿って離間した複数個の実質的に同様の形状のポケットを画定する壁面部と、を含むキャリヤテープにして、
少なくとも１つの前記実質的に同様の形状のポケットの前記壁面部が、
底壁部と、
前記底壁部から前記キャリヤテープの前記上面まで延在する側壁部と、
前記底壁部から延在するとともに前記キャリヤテープ上の隣接した前記ポケットの間に配置された第１横桁壁面部と、
前記底壁部から延在し、前記キャリヤテープ上の選択された隣接した前記ポケットの間に位置付けられるとともに、前記ポケットの寸法によって画定された長さと、隣接した前記ポケットの間の距離によって画定された幅と、前記底壁部と前記第２横桁壁面部の上面との間の距離によって画定された高さと、を有する、前記第１横桁壁面部と向かい合う第２横桁壁面部であって、前記第２横桁壁面部が、該第２横桁壁面部の長さに沿った選択位置に形成された切欠付き開口部を有し、前記切欠付き開口部が、前記第２横桁壁面部の長さより小さい長さと、前記第２横桁壁面部の幅に等しい幅と、前記第２横桁壁面部の高さ以下の高さと、を有しており、前記キャリヤテープが、リールの周りに巻き付けられて、第２巻付け部上に配置された第１巻付け部を形成するときに、前記切欠付き開口部によって、前記第１巻付け部の前記第２巻付け部内への嵌まり込みを防止する第２横桁壁面部と、を含む、キャリヤテープ。
【発明の詳細な説明】
【技術分野】
【０００１】
本発明は、嵌り込み防止用構成要素キャリヤテープに関する。
【背景技術】
【０００２】
キャリヤテープは、構成要素（例えば、抵抗器、コンデンサ、又は集積回路などの電気的構成要素）を、構成要素製造者から、キャリヤテープ内部に担持された構成要素を組み立てて完全製品とする別の製造者へ移送するのに使用される。キャリヤテープは、キャリヤテープ内部に等間隔に形成され、担持されるべき構成要素と適合性のある形状を有する多数のポケットを包含する。ポケットは、通常、ポケットの底部からキャリヤテープの上部まで延在する多数の壁面部によって画定される。このようにして、キャリヤテープにより担持される構成要素は、画定されたポケット内部で休止する。
【０００３】
通常キャリヤテープは、第１の製造場所で製造され、リールに巻き付けられ、移送するように意図された構成要素の供給元に移送される。構成要素供給元は、リールからキャリヤテープを巻き戻し、構成要素をキャリヤテープに沿ってポケットに詰め、取り外し可能なカバーストリップをキャリヤテープに沿って、構成要素を詰めたポケット上に付着させ、構成要素を詰めたキャリヤテープを、取り付けられたカバーストリップと共にリール上に巻取り、それをユーザーに送り、ユーザーはそれをリールから組立装置上に送り込み、組立装置が構成要素を取り外す。
【発明の概要】
【発明が解決しようとする課題】
【０００４】
この方法でリール上に巻き取られたキャリヤテープに関する一般的な問題は、キャリヤテープの第１巻き分上のポケットが、キャリヤテープの隣接して巻付けられた部分のポケット内に沈み込むか又は嵌り込む傾向にあることである。１つのポケットが別のポケット内に嵌り込むと、ポケットの壁面部が互いに摩擦係合し、キャリヤテープを巻き戻すのに大きな力が必要になる。これにより、キャリヤテープの変形が生じ、自動化装置が構成要素をキャリヤテープから取り外せなくなることがある。
【課題を解決するための手段】
【０００５】
一態様では、本発明は、キャリヤテープ内部に画定されたポケットである。ポケットは、底壁部と、該底壁部からキャリヤテープの上面まで延在する第１側壁部と、底壁から延在するとともに、ポケットの寸法によって画定された長さ、ポケットと隣接して形成されたポケットとの間の距離によって画定された幅、及び底壁部と第２側壁部の上面との間の距離によって画定された高さを有する第２側壁部と、を含む。第２側壁部は、第２側壁の長さより小さい長さと、第２側壁の幅に等しい幅と、第２側壁の高さ以下の高さと、を有する、第２側壁の上部に沿って形成された切欠付き開口部を包含する。
【０００６】
別の態様では、本発明は、キャリヤテープの上面を画定するストリップ状部分を含むキャリヤテープを包含する。キャリヤテープは、キャリヤテープの上面にある開口部によって画定された多数の実質的に同様の形状のポケットを包含する。実質的に同様の形状のポケットの１つ以上が、底壁部と、底壁部からキャリヤテープの上面まで延在する第１壁面部と、底壁部から延在するとともにキャリヤテープ上の隣接したポケットの間に配置された第１横桁壁面部と、底壁部から延在するとともにキャリヤテープ上の選択された隣接したポケットの間に配置された第２横桁壁面部と、を包含し、それぞれの第２横桁壁面部の上部は、第２横桁壁面部の長さに沿った選択位置に形成された切欠付き開口部を有する。
【０００７】
本発明の別の態様では、キャリヤテープの上面の少なくとも一部分にカバーテープが付着される。
【図面の簡単な説明】
【０００８】
【図１】嵌り込み防止機構を包含するキャリヤテープの代表的な実施形態の部分平面図。
【図２】図１に示したキャリヤテープの代表的な実施形態の部分斜視図。
【図３】キャリヤテープの嵌り込み防止機構を例示するためにキャリヤテープの第２部分に隣接して巻かれた、図１に示したキャリヤテープの代表的な実施形態の断面図。
【図４】キャリヤテープの上面にカバーテープが付着された状態の、キャリヤテープの代表的な実施形態の斜視図。
【発明を実施するための形態】
【０００９】
図１及び２は、本発明によるキャリヤテープ１０の代表的な実施形態を例示している。図１は、キャリヤテープ１０の部分平面図であり、図２は、キャリヤテープ１０の部分斜視図である。詳細には、キャリヤテープ１０は、ストリップ状部分１２と、上部１４と、複数個の同様の形状のポケット１６と、底部１８と、側壁部２０と、横桁部２２と、横桁切欠部２４と、駆動スプロケット開口部２６と、構成要素感知開口部２８と、を包含する。
【００１０】
それぞれの同様の形状のポケット１６は、底部１８と、底部１８から上部１４まで延在する側壁部２０と、底部１８から上部１４の方へ概ね延在するとともに隣接する同様の形状のポケット１６を互いから離隔する横桁部２２と、によって、キャリヤテープ１０内部に画定される。比較的狭い横桁部２２によって離隔された同様の形状のポケット１６を形成する利益の１つは、キャリヤテープ１０の上に形成される同様の形状のポケットの数を増加できることである。しかしながら、比較的狭い横桁部２２の幅は、従来の嵌り込み防止機構又は構造体を形成するには不十分である。
【００１１】
図１及び２に示した代表的な実施形態では、横桁切欠部２４は、横桁部２２内部のキャリヤテープ１０に嵌り込み防止機能を提供するために、１つ以上の横桁部２２内部に画定される。横桁切欠部２４は、連続する横桁部２２に形成されてもよく、あるいは、選択された横桁部２２上のみに形成されてもよい。例えば、図１に示した代表的な実施形態では、横桁切欠部２４は横桁部２２上に３つごとに形成される。
【００１２】
横桁切欠部２４を形成すべき横桁部２２の選択に加えて、特定の横桁部２２の長さに沿って形成される横桁切欠部の位置が、選択的に変化してもよい。例えば、図１に示した代表的な実施形態では、図１の左側に形成された第１横桁切欠部２４は、側壁部２２の長さに沿って第１位置に形成され（即ち、駆動スプロケット開口部２６の近位に配置され）、また図１の右側に形成された第２横桁切欠部２４は、第２位置に形成される（即ち、駆動スプロケット開口部２６から遠位に配置される）。同様に、横桁切欠部２４の長さは、用途に応じて、又は単一用途の範囲内でさえ選択的に変化してもよい。例えば、図１及び２に示した代表的な実施形態では、横桁切欠部２４の長さは、横桁部２２の長さのおよそ３０％である。他の実施形態では、横桁切欠部２４の長さは、選択的に変化してもよいが、その長さは、横桁部２２の構造的一体性に悪影響を及ぼすべきではない。例えば、横桁切欠部２４の長さが横桁部２２の長さのおよそ５０％を超えて延在すると、結果として、横桁部２２が横桁切欠部２４の周囲区域内で屈曲するか又は変形することがある。
【００１３】
加えて、図２に示された斜視図は、横桁部２２の高さに対する横桁切欠部２４に関する高さの代表的な実施形態を例示している。この実施形態では、横桁切欠部２４は底部１８まで延在せず、むしろ底部１８の上方において短い距離で終端する。つまり、図２に示した実施形態では、横桁部２２の底部は、実質的に連続的である。他の実施形態では、横桁切欠部２４の高さは、所望に応じて増大するか又は減少してもよく、横桁部２２が横桁切欠部２４によって効果的に二分されるように底部１８まで延在してもよい。
【００１４】
キャリヤテープ１０の例示的実施形態では、横桁切欠部２４を生成する目的の１つは、横桁切欠部２４の位置の繰り返しパターンの生成を防止することである。嵌り込み防止機構の繰り返しパターンの生成により、（横桁切欠部２４のような）嵌り込み防止機構が、リール上へのキャリヤテープ１０の連続する巻き分において互いに整列する可能性が生じる。横桁切欠部のような嵌り込み防止機構が整列すると、１つの嵌り込み防止機構が別の嵌り込み防止機構内に嵌り込み、これにより、嵌り込み防止機構の効果が打ち消されてもよい。したがって、例示的実施形態では、横桁切欠部２４の位置は選択的に変化する。これには、上に記載した属性の１つ以上を選択的に制御すること、例えば、横桁部２２の長さに沿って横桁切欠部２４の位置を変化させること、横桁切欠部２４を受容する横桁部２２を変化させること、横桁切欠部２４の長さを変化させること、又はこれら３つの属性の組み合わせに対する変化が包含されてもよい。詳細には、例示的実施形態では、繰り返しパターンの存在は、単一の横桁切欠部２４を有する群に包含される同様の形状のポケットの数を素数に関連付けることによって低減される。このようにして、横桁切欠部２４の位置の繰り返しパターンが低減され、リール上へのキャリヤテープ１０の連続する巻き分において、横桁切欠部２４が互いに整列する可能性が低減される。
【００１５】
加えて、図１及び図２に示した実施形態では、キャリヤテープ１０は、ストリップ状部分１２の一方の縁部に沿って等しく離隔及び寸法設定された一連の従来型駆動スプロケット開口部２６を包含し、これが駆動スプロケットの歯を受容することにより、自動化装置を通してキャリヤテープ１０を駆動することが可能になる。加えて、図１に示した実施形態では、キャリヤテープ１０は、底部１８の中心の概ね周辺で離間した構成要素感知開口部２８を包含する。この開口部は、同様の形状のポケット部分１６の内部にある構成要素の存在を自動化装置によって感知するために使用されてもよい。
【００１６】
図３の部分１０ａは、横桁切欠部２４の効果を例示する、横断面３−３に沿って切り取ったキャリヤテープ１０の断面図を例示している。この実施形態では、キャリヤテープ１０は、キャリヤテープ１０に（キャリヤテープ部分１０ａによって表される）第１巻付け部と（キャリヤテープ部分１０ｂによって表される）第２巻付け部とが含まれるように、リール（図示せず）の周りに巻きつけられる。図３に示されるように、キャリヤテープ部分１０ｂは、横桁切欠部２４ａによって嵌り込み（即ち、キャリヤテープ部分１０ａ内部に完全に係合すること）が防止される。つまり、横桁切欠部２４ａは、横桁部２２ｂが横桁部２２ａ内部に完全に係合するのを防止するストッパーとして働く。その結果として、キャリヤテープ部分１０ｂは、横桁部２２ａと横桁部２２ｂとの間の小さな間隙によって例示されるように、キャリヤテープ部分１０ａ内部に嵌り込むのを防止される。
【００１７】
図４は、カバーテープ層３２がスプール３３から巻き戻され、キャリヤテープ３０の上面に付着されるキャリヤテープ３０の代表的な実施形態を例示している。図４に示される実施形態では、キャリヤテープ３０は、上面３４と、複数個の同様の形状のポケット３６と、側壁部４０と、横桁部４２と、横桁切欠部４４と、駆動スプロケット開口部４６と、を包含する。それぞれのポケット３６内部には、構成要素４８が配置されている。
【００１８】
それぞれの構成要素４８がポケット３６内に配置されたら、カバーテープ層３２がキャリヤテープ３０の上面３４に付着される。キャリヤテープ３０を移送する前にキャリヤテープ３０に適用されるカバーテープ層３２は、キャリヤテープ３０内部に収容された構成要素に保護層を提供する。一実施形態では、カバーテープ層３２は、少なくともその外縁に沿って、カバーテープ層３２及び上面３４の外縁に力を加えることによってキャリヤテープ３０の上面３４に付着する感圧性材料を包含してもよい。別の実施形態では、カバーテープ層３２は、少なくともその外縁に沿って加熱活性化材料を包含し、上面３４に沿ってカバーテープ層３２を配置した後、カバーテープ層３２及びキャリヤテープ３０の外縁に熱を加え、これにより、カバーテープ層３２をキャリヤテープ３０の上面３４に付着させる。
【００１９】
横桁部４２の上面が高さの点でキャリヤテープ３０の上面３４に等しい図４に示した代表的な実施形態では、カバーテープ層３２は、（横桁部４２に切欠４４が含まれる区域内ではないが）横桁部４２の上面に付着されてもよい。他の実施形態では、カバーテープ層３２は、キャリヤテープ３０の上面３４にのみ付着し、横桁部４２の上面には付着しなくてもよい。これら実施形態のいずれかにおいて、横桁部４２の長さに沿った横桁切欠部４４の配置は、カバーテープ層３２をキャリヤテープ３０に付着させる能力に悪影響を及ぼさない。
【００２０】
好ましい実施形態を参照しながら本発明を記載してきたが、当業者は、本発明の趣旨及び範囲から逸脱することなく、形態及び詳細の変更を行えることを認識するであろう。
【図１】
0005427783.tif 000002
【図２】
0005427783.tif 000003
【図３】
0005427783.tif 000004
【図４】
0005427783.tif 000005